(57)【要約】【課題】安定した高い制動力と、片手で簡単にブレーキ操作できる使いやすさと、認知症などの利用者が誤ってブレーキを解除してしまうことを防ぐための安全装置を備えた、車椅子用の駐車ブレーキ装置を提供する。【解決手段】車椅子の左右の主車輪を自転車の後輪に広く使用されているバンドブレーキやローラーブレーキなどのハブブレーキ付きのものにし、ブレーキレバーをラチェット式にして車輪のロックと解除を片手で簡単に行えるようにするとともに、別途取り付けた安全装置によりブレーキレバーを二重に固定する手段を設けることでブレーキが安易に解除されないようにする。【選択図】図１
2017119060.tif 000002
【特許請求の範囲】
【請求項１】
（イ）制動方式を  車輪と一体のドラムやディスクをブレーキシューで圧迫あるいは締め付けるなどして車輪の回転を止めるハブブレーキとし、
（ロ）ブレーキワイヤーを繋いだブレーキレバーにラチェットを用い、握るなどして車輪のロックと解除を片手で行える形状にし、
（ハ）車輪をロックした状態で更にブレーキレバーを固定する手段を設けることで、二重にロックする安全装置を備える、
これらを特徴とする車椅子用駐車ブレーキ装置。
【発明の詳細な説明】
【技術分野】
【０００１】本発明は、安全性と利便性を向上させた車椅子用駐車ブレーキ装置に関する。
【背景技術】
【０００２】車椅子の駐車ブレーキは、ブレーキレバーを押すまたは引く動作で操作してストッパーをタイヤに押し付け圧迫することで車輪を固定する方式のものである。【０００３】自転車の後輪に多く使用されているハブブレーキ（バンドブレーキなど）を用いたものもありタイヤの空気圧に関係なく制動力を発揮できるが、それは車椅子の背もたれに付随するハンドルに備えられたものであり、背後から車椅子を押す介助者が一時的に使用するためのものでしかない。そのため正対する介助者や利用者には使用できない。
また駐車のために車輪をロックしたままにしておくこともできない。【０００４】従来の方式ではブレーキに安全装置が無く、誤って解除してしまうことを防げるようになっていない。
【先行技術文献】
【特許文献】
【０００５】
【特許文献１】  特開２００４−２７５４９８
【非特許文献】
【発明の概要】
【発明が解決しようとする課題】
【０００６】従来の方式では、タイヤの空気圧が低いと駐車ブレーキをかけていても効力がまるで無く、車輪が自在に動いてしまうため危険であった。
そのため車椅子の駐車ブレーキをタイヤの空気圧に左右されず安定した制動力を発揮できるものにする。【０００７】従来の方式では、レバーを押したり引いたりして駐車ブレーキをかけようとする行為そのものが車椅子を動かしてしまう（動いてしまう）ことがままあった。理想の位置のまま片手でブレーキレバーを操作して車輪を固定させるのは難しく、両手を使わざるを得なかったり、固定したあとで位置を直したりしなければならない場合が多い。そのため介助に煩わしさと危険が伴った。
介助者が片手で簡単に駐車ブレーキを操作でき、かつ車椅子の位置をずらしてしまうことのないような操作方法にする。【０００８】認知症などの利用者は、自分で勝手に駐車ブレーキを解除してしまうことがままあり危険であった。
利用者が簡単自由に駐車ブレーキの解除をできないようにする。
【課題を解決するための手段】
【０００９】車椅子の左右の主車輪を自転車の後輪に広く使用されているバンドブレーキやローラーブレーキなどのハブブレーキ付きのものにし、ブレーキワイヤーで繋いだブレーキレバーを左右の肘掛けの下など車椅子の両側面に設置して、ブレーキレバーを握るなどして閉じることで制動力を得られるような形状にする。【００１０】そのブレーキレバーにはラチェットを用いる。すなわちレバーを閉じればその位置で固定されてブレーキがかかったままになり、押しボタンに等よって固定が解除されるとレバーが元の位置に戻り（開き）ブレーキが解除されるようにする。【００１１】そのブレーキレバーに安全装置を設ける。この安全装置をオンにした状態ではブレーキレバーが固定され、ブレーキの解除操作を行ってもブレーキレバーが元の位置に戻らない（ブレーキが解除されない）ようにし、ブレーキを解除するためにはまずこの安全装置をオフにしなければならないようにする。
【発明の効果】
【００１２】車椅子において、いつの間にか空気が抜けたタイヤであっても安定した高い制動力を発揮できるので安全であり事故の危険が減る。【００１３】車椅子の位置をずらしてしまうことなく片手で簡単にブレーキ操作が行えるので、安全かつ楽に介助介護業務を行うことができ事故の危険が減る。【００１４】利用者が勝手にブレーキを解除しにくいので、事故の危険が減る。
【図面の簡単な説明】
【００１５】
【図１】本発明にかかるブレーキ装置の左側面部外観図。右側面も同様になっている。
【図２】本ブレーキ装置の取り付け例１。肘掛けの直下部分に取り付けた場合の斜視図。
【図３】本ブレーキ装置の取り付け例２。レバーを上向きにして取り付けた場合の斜視図。
【図４】取り付け例１における、利用者によるレバーの握り方の例１。
【図５】取り付け例１における、利用者によるレバーの握り方の例２。
【図６】本ブレーキ装置の母体部分１０。ブレーキレバー２０とラチェット部材３０と安全装置４０と４５が取り付けられ、ブレーキワイヤー５１を通す。
【図７】ブレーキレバー２０。
【図８】ラチェット部材３０。バネによってｗ方向に付勢されている。
【図９】ブレーキをかけた状態。
【図１０】ブレーキレバー２０とラチェット部材３０が噛み合う様子。
【図１１】安全装置の断面図を拡大したもの。
【図１２】ブレーキをかけ、さらに安全装置４０をオンにした状態でブレーキ解除ボタン３４をｙ方向に押した時の断面図。ブレーキは解除されない。
【図１３】ラチェット部材３０を別の例３０ａに置き換えた場合。
【図１４】ラチェット部材３０を別例３０ｂに、安全装置４０を別例４０ａに置き換えた場合。
【発明を実施するための形態】
【００１６】図１に示されるブレーキ装置を肘掛けの下など車椅子の両側面部に取り付ける。
ブレーキレバー２０は主車輪のハブブレーキとブレーキワイヤー５１によって直結している。握るなどしてレバーをｘ方向に閉じることでブレーキがかかる。
ハブブレーキはバネの力によって常にブレーキワイヤー５１をｚ方向に引く力が働いており、ゆえにブレーキレバー２０にも常にｚ方向に開く力がかかっている。
ラチェット部材３０は、バネによって常にｗ方向に付勢されており、２２部分に常に押し付けられている。
そのためブレーキレバー２０は２２部分で３３部分と噛み合い、閉じたその位置で固定されるので、図９に示すように手を放していてもブレーキがかかったままの状態を維持する。
ブレーキがかかった状態で解除ボタン３４をｙ方向に押せば、３０は２２から一旦離れるので、ブレーキレバー２０は拘束を解かれて元の位置に戻り（開き）、同時にブレーキは解除される。
付随する安全装置４０は、バネの力によって常にｚ方向に力が働いている。図１２に示すようにｘ方向に押し込んだ場合、４５に拘束されてそのままの位置で停止する。それがブレーキレバー２０をブレーキがかかったままの状態で固定し元の位置に戻る（開く）ことを遮るので、解除ボタン３４を押してもブレーキが解除されることはない。
この安全装置４０は、解除装置４５をｗ方向に引くことで拘束が解かれて元の位置に戻る。そしてブレーキレバー２０は固定を解かれるのでブレーキの解除が可能になる。つまりブレーキを解除するには、まず安全装置４０を解除しなくてはならないようにする。
【００１７】図１４に示した例は２２とラチェット部材３０ｂの位置関係が図１とは逆になっているが、原理は同じである。
３０ｂはバネの力で常にｙ方向に力がかかっており、解除するには解除レバー３４ｂをｘ方向に上げればよい。
また、安全装置４０ａとブレーキワイヤー部分の位置関係も逆になっている。４０ａはネジ構造になっており、先端部のツマミ４１ａを回すことで４０ａをねじ込ませてブレーキレバー２０を固定し、逆方向に回すことで固定を解除する方式の安全装置である。
【符号の説明】
【００１８】１０・・・・・本発明にかかるブレーキ機構の母体部分である。
１１・・・・・１０における２０との接合部分である。
１２・・・・・１０における３０や３０ｂとの接合部分である。
１３・・・・・ブレーキワイヤー５１を通す穴である。
１４・・・・・４０を通す穴である。
１５・・・・・４５を通す穴である。この穴を通じて４５は４０を固定する。
１６・・・・・４５を通す穴である。
２０・・・・・ブレーキレバーである。
２１・・・・・２０における１０との接合部分である。
２２・・・・・３３や３３ａや３３ｂと噛み合う部分である。
２３・・・・・ブレーキワイヤーの一端を嵌めこむための切れ込みである。
３０・・・・・ラチェット機構のための部材である。
３１・・・・・３０における１０との接合部分である。
３２・・・・・３０をｗ方向へ付勢するためのキックバネを内包する切れ込みである。
３３・・・・・２２と噛み合う部分である。
３４・・・・・ブレーキ解除ボタンである。
３０ａ・・・・３０の別例である。
３３ａ・・・・３０ａにおける２２と噛み合う部分である。
３４ａ・・・・３０ａにおけるブレーキ解除ボタンである。
３０ｂ・・・・３０の別例である。
３３ｂ・・・・３０ｂにおける２２と噛み合う部分である。
３４ｂ・・・・３０ｂにおけるブレーキ解除ボタン（レバー）である。
４０・・・・・安全装置の一部品である。
４１・・・・・安全装置４０をオンにするための押しボタン部分である。
４２・・・・・４０をｚ方向に付勢するバネである。
４５・・・・・安全装置４０に付随する解除のための部品である。
４６・・・・・４５をｙ方向に付勢するバネである。
４０ａ・・・・４０の別例である。４５を必要としない。
４１ａ・・・・４０ａのツマミ部分。
５０・・・・・ブレーキワイヤーを内包するカバーである。
５１・・・・・ブレーキワイヤーである。
６０・・・・・車椅子の左側主車輪である。
６１・・・・・車椅子の右側主車輪である。
【図１】
2017119060.tif 000003
【図２】
2017119060.tif 000004
【図３】
2017119060.tif 000005
【図４】
2017119060.tif 000006
【図５】
2017119060.tif 000007
【図６】
2017119060.tif 000008
【図７】
2017119060.tif 000009
【図８】
2017119060.tif 000010
【図９】
2017119060.tif 000011
【図１０】
2017119060.tif 000012
【図１１】
2017119060.tif 000013
【図１２】
2017119060.tif 000014
【図１３】
2017119060.tif 000015
【図１４】
2017119060.tif 000016